(57)【要約】【課題】、皺や亀裂が生じるようなことなく容易に引き伸ばして貼り付ける施工を行なうことができる防水テープを提供する。【解決手段】伸縮自在な略矩形状のシート材１の裏面に粘着層２を形成し、シート材１の長手側の一方の側縁部の略中央部に、略円弧状に切り欠いた凹湾曲部３を形成する。シート材１の長手側の一方の側縁部は円弧状の凹湾曲部３が略直線状になるように引き伸ばされるものであり、伸張の度合いの差が小さくなる。このため、皺が寄ったり亀裂が生じたりするようなことなく容易にシート材１を引き伸ばすことができ、三次元的に防水テープＡを容易に屈曲させて、施工を行なうことができる。【選択図】図１
2008031791.tif 000002
【特許請求の範囲】
【請求項１】
伸縮自在な略矩形状のシート材の裏面に粘着層を形成し、シート材の長手側の一方の側縁部の略中央部に、略円弧状に切り欠いた凹湾曲部を形成して成ることを特徴とする防水テープ。
【請求項２】
凹湾曲部の両側において、凹湾曲部を形成した側の辺を傾斜させることによって、シート材を長手側の端部に到る程幅狭になるように形成して成ることを特徴とする請求項１に記載の防水テ−プ。
【請求項３】
家屋の外壁面に壁部材の端部を突き合わせて配置し、壁部材の上端面から側面にかけて防水シートを張ると共に外壁面に他の防水シートを貼り、壁部材に張った防水シートと外壁面に張った防水シートの端部同士をオーバーラップさせ、防水シートのこのオーバーラップさせた部分の上において、壁部材の上端面及び両側の側面から外壁面の箇所にかけての四面に亘るように防水テープを貼ることによって、防水シート同士を接続すると共にオーバーラップ間の防水を行なうにあたって、防水テープとして請求項１又は２に記載のものを用い、凹湾曲部を形成していない側の縁部を長手方向にコ字形に屈曲して壁部材の上端面から両側の側面の箇所にかけてシート材を粘着層で貼り付けると共に、凹湾曲部を引き伸ばした状態でシート材の凹湾曲部を形成した側の縁部を壁部材の箇所に貼り付けた側の縁部に対して立ち上げるように屈曲させて、この屈曲させた部分を外壁面の箇所に粘着層で貼り付けて成ることを特徴とする防水施工構造。
【請求項４】
家屋の外壁面に壁部材の端部を突き合わせて配置し、壁部材の上端面から側面にかけて防水シートを張ると共に外壁面に他の防水シートを貼り、壁部材に張った防水シートと外壁面に張った防水シートの端部同士をオーバーラップさせ、防水シートのこのオーバーラップさせた部分の上において、壁部材の上端面及び一方の側面から外壁面の箇所にかけての三面に亘るように防水テープを貼ることによって、防水シート同士を接続すると共にオーバーラップ間の防水を行なうにあたって、防水テープとして請求項１又は２に記載のものを用い、凹湾曲部を形成していない側の縁部を長手方向にＬ字形に屈曲して壁部材の上端面から一方の側面の箇所にかけてシート材を粘着層で貼り付けると共に、凹湾曲部を引き伸ばした状態でシート材の凹湾曲部を形成した側の縁部を壁部材の箇所に貼り付けた側の縁部に対して立ち上げるように屈曲させて、この屈曲させた部分を外壁面の箇所に粘着層で貼り付けて成ることを特徴とする防水施工構造。
【発明の詳細な説明】
【技術分野】
【０００１】
本発明は、防水テープ及びこの防水テープを用いた防水施工構造に関するものである。
【背景技術】
【０００２】
例えば、家屋の外壁にバルコニーを張り出して形成する場合、バルコニーを囲む三辺に設けられる手摺壁のうち、両側の二辺の手摺壁の端部を外壁に突き合わせて接合することが行なわれる。
【０００３】
このように、外壁の壁面に手摺壁のような壁部材の端部を突き合わせて接続するにあたって、外壁面と壁部材の端部との間の防水性を確保するために、壁面に張った防水シートと壁部材に張った防水シートの端部同士をオーバーラップさせ、このオーバーラップ部に防水テープを貼り付けて、防水施工することが行なわれている（例えば、特許文献１等参照）。
【０００４】
図５はこのような外壁面５と壁部材６の端部における防水施工の一例を示すものであり、図５（ａ）のように防水シート７の一側縁に壁部材６の上端面の幅寸法と均しい間隔で一対の切り込み１５を入れ、また他の防水シート８をＬ型に裁断して、入隅部に斜めの切り込み１６を入れる。そして図５（ｂ）のように、防水シート７を壁部材６の上端面から両側面にかけて張り、この防水シート７の端縁を切り込み１５によって表側に折って、この折り曲げ片７ａを外壁面５に張る。また図５（ｃ）のように、防水シート８を外壁面５に張り、この防水シート８の端縁を切り込み１６によって表側に折って、この折り曲げ片８ａを防水シート７の上から壁部材６の上端面及び側面に張り、防止シート７の端部の上に防水シート８の端部をオーバーラップさせる。この後に、裏面に粘着層を設けた防水テープＡを用い、防水シート７にオーバーラップさせた防水シート８の折り曲げ片８ａの上から防水シート７の上にかけて防水テープＡを貼り付け、防水シート７，８のオーバーラップ部分を接続すると共に、オーバーラップ部分の防水性を確保するものである。
【０００５】
このとき防水テープＡとしては図６（ａ）に示すように長方形に形成したものが用いられるが、図６（ｂ）に示すように、防水テープＡの一方の縁部１ｂを長手方向でコ字形に曲げながら壁部材６の上端面から両側の側面にかけての箇所に貼り付けると共に、防水テープＡの外壁面５側の縁部１ａを表側へ立ち上げるように折り曲げて、この折り曲げた側の縁部１ａを、外壁面５に張った防水シート８の表面に貼り付けるようにしてある。このように防水テープＡを壁部材６の上端面及び両側の側面から外壁面５の箇所にかけての四面に亘るように防水テープＡを貼ることによって、外壁面５と壁部材６の端部との間の防水性を高く得ることができるものである。
【特許文献１】特許第３６５５３７０号公報
【発明の開示】
【発明が解決しようとする課題】
【０００６】
上記のように防水テープＡを壁部材６の上端面及び側面から外壁面５の箇所にかけての四面に亘って貼る場合、互いに垂直な面に沿うように三次元的に防水テープＡを屈曲させる必要がある。そしてこのように防水テープＡを屈曲させる場合、防水テープＡのうち、外壁面５の箇所に貼られる側の縁部１ａの中央部が大きく引き伸ばされることになる。
【０００７】
しかし、防水テープＡとして伸縮する素材で形成したものを用いたとしても、長方形に形成される防水テープＡの一方の縁部１ａの中央部を大きく引き伸ばすことは困難である。特に防水テープＡのこの縁部１ａの中央部は大きく引き伸ばされるので、中央部とその両側の部分とでは伸張の度合いが大きく異なることになり、この伸張の度合いの差で防水テープＡに皺が発生し易く、また伸張の度合いの大きい中央部において防水テープＡに亀裂が生じ易く、防水性能が低下するおそれがあるという問題があった。
【０００８】
本発明は上記の点に鑑みてなされたものであり、皺や亀裂が生じるようなことなく容易に引き伸ばして貼り付ける施工を行なうことができる防水テープを提供することを目的とするものであり、またこの防水テープを用いて、防水性能が低下することなく容易に施工を行なうことができる防水施工構造を提供することを目的とするものである。
【課題を解決するための手段】
【０００９】
本発明の請求項１に係る防水テープは、伸縮自在な略矩形状のシート材１の裏面に粘着層２を形成し、シート材１の長手側の一方の側縁部の略中央部に、略円弧状に切り欠いた凹湾曲部３を形成して成ることを特徴とするものである。
【００１０】
この発明によれば、シート材１の長手側の一方の側縁部は円弧状の凹湾曲部３が略直線状になるように引き伸ばされるものであり、伸張の度合いの差が小さくなって、皺が寄ったり亀裂が生じたりするようなことなく容易にシート材１を引き伸ばすことができ、三次元的に防水テープＡを容易に屈曲させて貼り付ける施工を行なうことができるものである。
【００１１】
また請求項２の発明は、請求項１において、凹湾曲部３の両側において、凹湾曲部３を形成した側の辺を傾斜させることによって、シート材１を長手側の端部に到る程幅狭になるように形成して成ることを特徴とするものである。
【００１２】
この発明によれば、シート材１の凹湾曲部３の両側の部分は幅広に形成されるものであり、この部分を容易に引き伸ばして、貼り付けることができるものである。
【００１３】
本発明の請求項３に係る防水施工構造は、家屋の外壁面５に壁部材６の端部を突き合わせて配置し、壁部材６の上端面から側面にかけて防水シート７を張ると共に外壁面５に他の防水シート８を貼り、壁部材６に張った防水シート７と外壁面５に張った防水シート８の端部同士をオーバーラップさせ、防水シート７，８のこのオーバーラップさせた部分の上において、壁部材６の上端面及び両側の側面から外壁面５の箇所にかけての四面に亘るように防水テープＡを貼ることによって、防水シート７，８同士を接続すると共にオーバーラップ間の防水を行なうにあたって、防水テープＡとして請求項１又は２に記載のものを用い、凹湾曲部３を形成していない側の縁部を長手方向にコ字形に屈曲して壁部材６の上端面から両側の側面の箇所にかけてシート材１を粘着層２で貼り付けると共に、凹湾曲部３を引き伸ばした状態でシート材１の凹湾曲部３を形成した側の縁部を壁部材６の箇所に貼り付けた側の縁部に対して立ち上げるように屈曲させて、この屈曲させた部分を外壁面５の箇所に粘着層２で貼り付けて成ることを特徴とするものである。
【００１４】
この発明によれば、三次元的に容易に屈曲させることができる防水テープＡを用いて、防水性能が低下することなく防水施工を容易に行なうことができるものである。
【００１５】
また本発明の請求項４に係る防水施工構造は、家屋の外壁面５に壁部材６の端部を突き合わせて配置し、壁部材６の上端面から側面にかけて防水シート７を張ると共に外壁面５に他の防水シート８を貼り、壁部材６に張った防水シート７と外壁面５に張った防水シート８の端部同士をオーバーラップさせ、防水シート７，８のこのオーバーラップさせた部分の上において、壁部材６の上端面及び側面から外壁面５の箇所にかけての三面に亘るように防水テープＡを貼ることによって、防水シート７，８同士を接続すると共にオーバーラップ間の防水を行なうにあたって、防水テープＡとして請求項１又は２に記載のものを用い、凹湾曲部３を形成していない側の縁部を長手方向にＬ字形に屈曲して壁部材６の上端面から一方の側面の箇所にかけてシート材１を粘着層２で貼り付けると共に、凹湾曲部３を引き伸ばした状態でシート材１の凹湾曲部３を形成した側の縁部を壁部材６の箇所に貼り付けた側の縁部に対して立ち上げるように屈曲させて、この屈曲させた部分を外壁面５の箇所に粘着層２で貼り付けて成ることを特徴とするものである。
【００１６】
この発明によれば、三次元的に容易に屈曲させることができる防水テープＡを用いて、防水性能が低下することなく防水施工を容易に行なうことができるものである。
【発明の効果】
【００１７】
本発明によれば、皺が寄ったり亀裂が生じたりするようなことなく容易にシート材１を引き伸ばすことができ、三次元的に防水テープＡを容易に屈曲させて貼り付ける施工を行なうことができるものであり、この防水テープＡを用いて、防水性能が低下することなく防水施工を容易に行なうことができるものである。
【発明を実施するための最良の形態】
【００１８】
以下、本発明を実施するための最良の形態を説明する。
【００１９】
防水テープＡは、図１（ｂ）に示すように、シート材１の裏面の全面に粘着剤を塗布した粘着層２を設けることによって形成されるものであり、粘着層２の全面には剥離自在な離型シート１７が貼ってある。シート材１は、例えばブチルゴムなどの弾性材によって伸縮自在に形成されるものである。
【００２０】
またシート材１は図１（ａ）に示すように、全体形状が略矩形（略短冊形）に形成されるものであり、その長手側の一方の側縁部の略中央部に、略円弧状に切り欠いた凹湾曲部３が形成してある。この凹湾曲部３は、シート材１の長手方向の全長の約１／５〜１／２の範囲で設けられるものであり、凹湾曲部３の切り欠き深さは、シート材１の幅寸法の１／５〜１／２の範囲に設定されるものである。尚、凹湾曲部３の略円弧状は、図１（ａ）のような滑らかな曲線であってもよいが、あるいは多角形に形成されていてもよい。さらに、シート材１の凹湾曲部３を形成した側の辺は、凹湾曲部３の両側から各短手側の端部に到るまで斜めに切り欠いて傾斜辺４が形成してある。従って、シート材１の幅寸法は、凹湾曲部３の両側の部分が最も広く、短手側の端部に到るまで徐々に狭くなるように形成してある。
【００２１】
ここで、上記の離型シート１７は図１（ｃ）に示すように、シート材１のうち、凹湾曲部３を形成した側の略半分である縁部１ａおいて貼られる離型シート１７ａと、凹湾曲部３を形成していない側の略半分である縁部１ｂにおいて貼られる離型シート１７ｂとに二分割して形成してある。
【００２２】
次に、上記のように形成される防水テープＡを用いて行なう、外壁の壁面５に手摺壁のような壁部材６の端部を突き合わせて接続する際の、外壁面５と壁部材６の端部の間の防水施工について説明する。
【００２３】
まず、既述の図５（ａ）のように、防水シート７の一側縁に壁部材６の上端面の幅寸法と均しい間隔で一対の切り込み１５を入れ、また他の防水シート８をＬ型に裁断して、入隅部に斜めの切り込み１６を入れる。この防水シート７，８としては、透湿性と防水性を有するものが用いられる。次に既述の図５（ｂ）のように、防水シート７を壁部材６の上端面から両側面にかけて張る。このとき、この防水シート７の端縁を切り込み１５によって表側に折り曲げ、この折り曲げ片７ａを外壁面５に張ることによって、防水シート７を壁部材６から外壁面５に亘るように張る。また既述の図５（ｃ）のように、防水シート８を外壁面５に張り、この防水シート８の端縁を切り込み１６によって表側に折って、この折り曲げ片８ａを防水シート７の上から壁部材６の上端面及び一方の側面に張る。さらに必要に応じて、Ｌ型に裁断された防水シート８をもう一枚用い、この防水シート８を外壁面５に張ると共にこの防水シート８の端縁を切り込み１６によって表側に折って、折り曲げ片８ａを防水シート７の上から壁部材６の上端面及び他方の一方の側面に張る。このようにして、防水シート８を外壁面５から壁部材６に亘るように張り、防水シート７の端部の上に防水シート８の端部をオーバーラップさせる。
【００２４】
この後に、防水シート７の上にオーバーラップさせた防水シート８の端部の折り曲げ片８ａの上から防水シート７の上にかけて防水テープＡをその粘着層２によって貼り付ける。このように防水シート８の端部の上から防水シート７の上にかけて防水テープＡを貼ることによって、防水シート７，８のオーバーラップ部分を接続固定すると共に、オーバーラップ部分の隙間から水が浸入することを防いで防水性を得ることができるものである。ここで、外壁面５と壁部材６の突き合わせ端部との境界部に、防水シート７の切り込み１５の端部や、防止シート８の切り込み１６の端部が位置するので、切り込み１５，１６の端部を防水テープＡで覆って防水性を確保する必要があり、防水テープＡは壁部材６の上端面から側面にかけての箇所から、外壁面５の箇所に亘るように貼り付けられる。
【００２５】
図２及び図３に防水テープＡの貼り付けの手順を示す。まず図３（ａ）のように、離型シート１７ａ，１７ｂの境界の箇所で、シート材１が内側になるように防水テープＡを折り曲げ、凹湾曲部３を形成していない側の縁部１ｂに貼った離型シート１７ｂを図３（ｂ）のように剥がして、縁部１ｂの粘着層２を露出させる。そして図２（ａ）のように、壁部材６の上端面の箇所にシート材１の縁部１ｂを粘着層２で貼り付けると共に、シート材１をコ字形に屈曲して図２（ｂ）のように、壁部材６の両側の側面の箇所にそれぞれシート材１の縁部１ｂを粘着層２で貼り付ける。次に、シート材１の縁部１ａに貼った離型シート１７ａを剥がし、シート材１の中央部の凹湾曲部３を両側に引き伸ばしながら、シート材１のこの縁部１ａを立ち上げ、図２（ｃ）のようにシート材１の縁部１ａを粘着層２で外壁面５に貼り付けるものである。
【００２６】
このようにして、防水テープＡを壁部材６の上端面及び両側の側面から外壁面５の箇所にかけての、互いに垂直な四面に亘って貼るものであり、三次元的に防水テープＡを屈曲させる必要がある。そしてこのように防水テープＡのシート材１を屈曲させる場合、シート材１のうち、外壁面５の箇所に貼られる側の縁部１ａの中央部を大きく引き伸ばす必要があるが、シート材１のこの側縁部の中央部は円弧状の凹湾曲部３として形成されているので、図２（ｃ）に示すように、円弧状の凹湾曲部３が略直線状になるように引き伸ばすことができ、シート材１の中央部とその両側の間での伸張の度合いの差は小さくなる。このため、伸張の度合いの差によって皺が寄るようなことがなくなり、また部分的に大きく伸張されることがなくなって、亀裂が生じるようなことがなくなるものであり、皺や亀裂が生じることなく容易にシート材１を引き伸ばすことができ、三次元的に防水テープＡを容易に屈曲させて貼り付ける施工を行なうことができるものである。特に、凹湾曲部３の両側に傾斜辺４を形成して、シート材１の凹湾曲部３の両側の部分を幅広に形成するようにしてあるので、この部分を容易に引き伸ばしてシート材１を三次元的により容易に屈曲させることができるものである。
【００２７】
上記の図２の実施の形態では、防水テープＡを壁部材６の上端面及び両側の側面から外壁面５の箇所にかけての四面に亘って貼るようにしたが、図４の実施の形態のように、防水テープＡを壁部材６の上端面及び一方の側面から外壁面５の箇所にかけての、互いに垂直な三面に亘って貼るようにしてもよい。この場合は、図３（ａ）（ｂ）と同様に防水テープＡを屈曲すると共に離型シート１７ｂを剥がし、防水テープＡをＬ字状に曲げて、壁部材６の上端面から側面に張った防水シート７，８の上にシート材１の縁部１ｂを粘着層２で貼り付け、次にシート材１の縁部１ａに貼った離型シート１７ａを剥がし、シート材１の中央部の凹湾曲部３を両側に引き伸ばしながら、シート材１のこの縁部１ａを立ち上げ、この立ち上げたシート材１の縁部１ａを粘着層２で外壁面５に張った防水シート８の上に貼り付けるものである。
【００２８】
このようにして、防水テープＡを壁部材６の上端面及び一方の側面から外壁面５の箇所にかけての、互いに垂直な三面に亘って貼るものであり、三次元的に防水テープＡを屈曲させる必要がある。そしてこのように防水テープＡを屈曲させる場合、上記と同様に、防水テープＡのうち、外壁面５の箇所に貼られる側の縁部の中央部を大きく引き伸ばす必要があるが、シート材１のこの側縁部の中央部は円弧状の凹湾曲部３として形成されているので、図４に示すように、円弧状の凹湾曲部３が略直線状になるように引き伸ばすことができ、シート材１の中央部とその両側の間での伸張の度合いの差は小さくなる。このため、伸張の度合いの差によって皺が寄るようなことがなくなり、また部分的に大きく伸張されることがなくなって、亀裂が生じるようなことがなくなるものであり、皺や亀裂が生じることなく容易にシート材１を引き伸ばすことができ、三次元的に防水テープＡを容易に屈曲させて貼り付ける施工を行なうことができるものである。
【００２９】
このように、壁部材６の上端面と一方の側面との間の箇所において防水テープＡを貼った後、壁部材６の上端面と他方の側面との間の箇所においても同様に防水テープＡを貼り、さらに、壁部材６の両側の側面において防水シート７，８のオーバーラップ部分に長尺の防水テープ（図示省略）を貼ることによって、壁部材６の上端面と両側面の各部分での防水施工を行なうものである。
【００３０】
そして上記の図２や図４のように、防水シート７，８を壁部材６や外壁面５に張り、防水シート７，８のオーバーラップ部分に防水テープＡを貼って、防水施工を行なった後、防水シート７の上から壁部材６に化粧用のパネルや笠木を取り付け、また防水シート８の上から外壁面５に外壁材を取り付けることによって、外壁のバルコニーの部分での施工を完了することができるものである。
【図面の簡単な説明】
【００３１】
【図１】本発明に係る防水テープの実施の形態の一例を示すものであり、（ａ）は正面図、（ｂ）は側面図、（ｃ）は背面図である。
【図２】本発明に係る防水施工の実施の形態の一例を示すものであり、（ａ）（ｂ）（ｃ）はそれぞれ斜視図である。
【図３】同上の防水施工の際の防水テープを示すものであり、（ａ）（ｂ）はそれぞれ斜視図である。
【図４】本発明に係る防水施工の実施の形態の他の一例を示す斜視図である。
【図５】防水シートの張り付けの施工を示すものであり、（ａ）（ｂ）（ｃ）はそれぞれ斜視図である。
【図６】従来例を示すものであり、（ａ）は防水テープの正面図、（ｂ）は防水施工構造の斜視図である。
【符号の説明】
【００３２】
１  シート材
２  粘着層
３  凹湾曲部
４  傾斜辺
５  外壁面
６  壁部材
７  防水シート
８  防水シート
【図１】
2008031791.tif 000003
【図２】
2008031791.tif 000004
【図３】
2008031791.tif 000005
【図４】
2008031791.tif 000006
【図５】
2008031791.tif 000007
【図６】
2008031791.tif 000008